(57)【要約】【要約書】【課題】  再生紙を利用して資源の節約に貢献させると共に、名刺やその地方のチラシやパンフレットによる紹介をより効果的に行なえるようにする。【解決手段】  作品欄３を表面に設け絵画・写真などの芸術的作品を作品欄３に印刷等にて設けた作品用台紙２と、紹介欄を表面に設け地方での各種行事や企業の内容などの紹介を紹介欄に印刷等にて設けた紹介用台紙と、名刺欄を表面に設け個人或は企業の住所・氏名・電話など必要事項を名刺欄に印刷等にて設けた名刺用台紙６とを二枚以上の枚数となるよう組合せ、折曲線にて接続して一枚のＰＲ紙１とし、折曲線にて折り曲げて重ね合わせたＰＲ紙１にて、日用に使用する日用品１５を直接或は日用品用包紙にて包んで間接に覆い、透明な長方形の袋状とした包紙１６内に挿入し包紙１６を折り曲げ挿入口をセロハン粘着テープにて止めたものである。【選択図】        図１
0003112439.tif 000002
【実用新案登録請求の範囲】
【請求項１】
表面に設けた作品欄に絵画・写真などの芸術的作品を印刷等にて設けた作品用台紙と、表面に設けた紹介欄に地方での各種行事や企業の内容などの紹介を印刷等にて設けた紹介用台紙と、表面に設けた名刺欄に個人或は企業の住所・氏名・電話など必要事項を印刷等にて設けた名刺用台紙とを二枚以上の枚数となるよう組合せ、折曲線にて接続して一枚のＰＲ紙とし、折曲線にて折り曲げて重ね合わせたＰＲ紙にて日用に使用する日用品を包み、透明な長方形の袋状とした包紙内に挿入し包紙を折り曲げ挿入口をセロテープにて止めたことを特徴とするＰＲ用紙製品。
【請求項２】
ＰＲ紙と同じ形状の包紙にて日用品を覆いＰＲ紙にて包むようにした請求項１記載のＰＲ用紙製品。
【請求項３】
ＰＲ紙としては、芸術的作品を印刷等にて設けた作品欄を表面に設けてなる長方形の作品用台紙の長手方向の両側に、長方形で一方を切り落とし斜状とした取出補助口を設けた側紙を折曲線にて取出補助口が対称となるよう接続し、作品用台紙の巾と同巾で作品用台紙の長さの略半分より僅か短くした長さの長方形からなる名刺用台紙の略中央に、係止と確認を兼ねた長方形の係止穴を穿設した抑部と、作品用台紙の巾より小さくした巾と抑部の長さと同寸とした長さの長方形からなり、長さ方向の一端に湾曲による凹状の取出口を設け、更に長さ方向の他端両側を切込ににて切り込み巾の両側を掛止片とした掛止部を前記抑部に取出口が先端となるよう設け、作品用台紙の一端に折曲線にて名刺用台紙を接続し、係止穴と折曲線間の表面に設けた名刺欄に個人或は企業などの必要事項を印刷等にて設け、巾を作品用台紙と同寸とし長さは作品用台紙より短く名刺用台紙を折り曲げた時係止穴を覆う長さの長方形からなり、地方での各種行事や企業の内容などの紹介を表面に設けた紹介欄に印刷等にて設けてなる紹介用台紙の一端に係止片を突設し作品用台紙に折曲線にて係止片が突き出るよう接続し一枚とした請求項１・請求項２記載のＰＲ用紙製品。
【請求項４】
ＰＲ紙としては、ＰＲ紙の名刺用台紙側面にＬ字状のＬ字切取紙をミシン目にて接続すると共に、紹介用台紙の三方の外周にＵ字状のＵ字切取紙をミシン目にて接続して長方形の台紙として切取りを可能とした請求項１・請求項２・請求項３記載のＰＲ用紙製品。
【考案の詳細な説明】
【技術分野】
【０００１】  本考案は、再生紙を利用して紹介する内容を印刷したＰＲ紙を折り畳んで油取り紙を直接或は間接に包み、透明紙袋内に設けて配布や手渡しするようにしたＰＲ用紙製品に関するものである。
【背景技術】
【０００２】  紹介内容としては、住所・氏名・電話等の必要内容を一枚の紙の表裏に印刷したり或は写真を添付した名刺、或は一枚のチラシやパンフレット、更にインターネットなどがある。
【考案の開示】
【考案が解決しようとする課題】
【０００３】
【０００４】  このような方法で紹介内容が提供されるが、紹介を受ける側で、例えば名刺を貰っても特に必要なもの以外は余り記憶に残らずその処理もいい加減になってしまう。
又、一枚のチラシやパンフレットも受取った時は一度は見るが、必要がなくなると名刺と同じくその処理がいい加減になると共に、普及しているインターネットも便利であるがパソコンが使えない人にとっては全く見ることが出来ない。
特に名刺やその地方のチラシやパンフレットによる紹介など余り費用をかけることが出来ない場合にはより効率が悪く使用上非常に不都合を感じていた。
【課題を解決するための手段】
【０００５】  本考案はこのような不都合を解消し、製作費用削減と資源の再利用として再生紙を利用すると共に、手渡しや配布時に強烈な印象を与えて、その場限りだけでなく一定期間見たり或は用いたりして記憶に残ることが出来るようにし、紹介内容の伝達の効果をより高めるようにしたＰＲ用紙製品を提供せんとするものである。【０００６】  表面に設けた作品欄に絵画・写真などの芸術的作品を印刷等にて設けた作品用台紙と、表面に設けた紹介欄に地方での各種行事や企業の内容などの紹介を印刷等にて設けた紹介用台紙と、表面に設けた名刺欄に個人或は企業の住所・氏名・電話など必要事項を印刷等にて設けた名刺用台紙とを二枚以上の枚数となるよう組合せ、折曲線にて接続して一枚のＰＲ紙とし、折曲線にて折り曲げて重ね合わせたＰＲ紙にて日用に使用する日用品を包み、透明な長方形の袋状とした包紙内に挿入し包紙を折り曲げ挿入口をセロテープにて止めたものである。【０００７】  そしてＰＲ紙としては、芸術的作品を印刷等にて設けた作品欄を表面に設けてなる長方形の作品用台紙の長手方向の両側に、長方形で一方を切り落とし斜状とした取出補助口を設けた側紙を折曲線にて取出補助口が対称となるよう接続し、作品用台紙の巾と同巾で作品用台紙の長さの略半分より僅が短くした長さの長方形からなる名刺用台紙の略中央に、係止と確認を兼ねた長方形の係止穴を穿設した抑部と、作品用台紙の巾より小さくした巾と抑部の長さと同寸とした長さの長方形からなり、長さ方向の一端に湾曲による凹状の取出口を設け、更に長さ方向の他端両側を切込ににて切り込み巾の両側を掛止片とした掛止部を前記抑部に取出口が先端となるよう設け、作品用台紙の一端に折曲線にて名刺用台紙を接続し、係止穴と折曲線間の表面に設けた名刺欄に個人或は企業などの必要事項を印刷等にて設け、巾を作品用台紙と同寸とし長さは作品用台紙より短く名刺用台紙を折り曲げた時係止穴を覆う長さの長方形からなり、地方での各種行事や企業の内容などの紹介を表面に設けた紹介欄に印刷等にて設けてなる紹介用台紙の一端に係止片を突設し作品用台紙に折曲線にて係止片が突き出るよう接続し一枚としたものである。【０００８】  又、ＰＲ紙としては、ＰＲ紙の名刺用台紙側面にＬ字状のＬ字切取紙をミシン目にて接続すると共に、紹介用台紙の三方の外周にＵ字状のＵ字切取紙をミシン目にて接続して長方形の台紙として切取りを可能としたものである。
更にＰＲ紙と同じ形状の包紙にて日用品を覆いＰＲ紙にて包むようにしたものである。
尚、日用品としては使用回数の多いもの例えば油取紙やメモ用紙などの紙製品が好ましい、又再生紙の利用が可能な場合は総て再生紙を利用する。【０００９】  使用に当たっては、このようにシンプルに纏められるため配布或は手渡しが手軽に行なえ、且つ受取った側は中の日用品が使用してなくなるまで作品用台紙・紹介用台紙・名刺用台紙の表面に記載してある内容を使用の度に見るため自然に記憶されてＰＲを十分に果しその効果を持続させることが出来る。
而も、その時に必要な作品用台紙・紹介用台紙・名刺用台紙を任意に選択して組合わせることが可能となると共に、再生紙を使用するため資源の節約にも貢献し、手作りのため小量で多種類のＰＲ用紙製品にすることが容易であり、更にＰＲ紙をミシン目を設けた台紙とすることによって各種の印刷が容易に行えることが出来る。
【考案の効果】
【００１０】  本考案の請求項１・請求項２・請求項３に於いては、上述の如くその時々に必要な内容を印刷などにて表面に設けることが可能な作品用台紙・紹介用台紙・名刺用台紙を任意に選択して組合わせることが出来ると共に、再生紙を使用するため資源の節約にも貢献し、手作りのため小量で多種類のＰＲ用紙製品にすることが容易であり、且つシンプルに纏められるため配布或は手渡しが手軽に行なえ、且つ受取った側は中の日用品が使用してなくなるまで作品用台紙・紹介用台紙・名刺用台紙の表面に記載してある内容を使用の度に見るため自然に記憶されてＰＲを十分に果しその効果を持続させることが出来る。
請求項４に於いては、ＰＲ紙をミシン目を設けた台紙とすることによって各種の印刷が容易に行えることが出来ると共に、ミシン目によってＰＲ紙の切取りも簡単に行えるためその使用範囲が拡大される。
このように多くの効果があり実用上非常に優れた考案である。
【考案を実施するための最良の形態】
【００１１】  表面に設けた作品欄に絵画・写真などの芸術的作品を印刷等にて設けた作品用台紙と、表面に設けた紹介欄に地方での各種行事や企業の内容などの紹介を印刷等にて設けた紹介用台紙と、表面に設けた名刺欄に個人或は企業の住所・氏名・電話など必要事項を印刷等にて設けた名刺用台紙とを二枚以上の枚数となるよう組合せ、折曲線にて接続して一枚のＰＲ紙とし、折曲線にて折り曲げて重ね合わせたＰＲ紙にて日用に使用する日用品を包み、透明な長方形の袋状とした包紙内に挿入し包紙を折り曲げ挿入口をセロテープにて止めたものである。
【実施例１】
【００１２】  以下本考案の一実施例を図面について説明する。
本実施例は日用品をＰＲ紙で直接包んだ場合を示す。
図中１は日用品用包紙を兼ねたＰＲ紙全体を示し、２は表面に作品欄３を設けて絵画・写真などの芸術的作品を印刷等にて作品欄３に設けた長方形の作品用台紙であって、長方形で一方を切り落とし斜状とした取出補助口４ａを設けた側紙４を、折曲線５にて該作品用台紙２の長手方向巾の両側に取出補助口４ａが対称となるよう接続している。【００１３】  ６は名刺用台紙であって、作品用台紙２の巾と同寸の巾で、作品用台紙２の長さの略半分より僅か短くした長さの長方形からなり、略中央に係止と確認を兼ねた長方形の係止穴７ａを穿設した抑部７と、作品用台紙２の巾より小さくした巾と抑部７の長さと同寸とした長さの長方形からなり、長さ方向の一端に湾曲による凹状の取出口８ａを設け、更に長さ方向の他端両側を切込８ｂににて切り込み巾の両側を掛止片８ｃとした掛止部８を前記抑部７に取出口８ａが先端となるよう設け、作品用台紙２の一端に折曲線９にて接続し、係止穴７ａと折曲線８間の表面に名刺欄１０を設け個人或は企業の住所・氏名・電話など必要事項を名刺欄１０に印刷している。【００１４】  １１は巾を作品用台紙２と同寸とし長さは作品用台紙２より短く名刺用台紙６を折り曲げた時係止穴７ａを覆う長さの長方形からなり、表面に紹介欄１２を設け地方での各種行事や企業の内容などの紹介を紹介欄１２に印刷した紹介用台紙であって、一端に係止片１３を突設し作品用台紙２に折曲線１４にて係止片１３が突き出るよう接続し一枚としている。
１５は油取紙からなる日用品であって、作品用台紙２より巾・長さ共に小さくして作品用台紙２にて包装を可能としている。
１６は透明な長方形で袋状とした包装紙であって、ＰＲ紙１の包装を可能としている。【００１５】  使用に当たっては、複数枚を一組として重ね合わせている油取紙の日用品１５をＰＲ紙１の作品用台紙２裏面上に設け、折曲線５にて側紙４裏面側に外折りして日用品１５の両側を抑え、その次に折曲線９にて名刺用台紙６を裏面側に外折りし、側紙４及び日用品１５上に重ねて掛止片８ｃを側紙４の下に差し込んで名刺用台紙６を掛止し、更に折曲線１４にて紹介用台紙１１を裏面側に外折りして名刺用台紙６上に重ねると共に、係止片１３を係止穴７ａに差し込み日用品１５をＰＲ紙１にて包み、包装紙１６内に入れて包装紙１６の挿入口側を折り曲げセロテープにて挿入口を止めてＰＲ用紙製品とし、配布に或は手渡しなどに使用する。
【実施例２】
【００１６】  本実施例は日用品を包紙で包みその上にＰＲ紙を設けた場合を示す。
１７は日用品用包紙であって、形状・大きさは前記ＰＲ紙１と全く同じで、作品欄３・名刺欄１０・紹介欄１２を不要としている。
１８はＰＲ紙全体を示し、１９は作品欄２０を表面に設けた作品用台紙であって、絵画・写真などの芸術的作品を印刷等にて作品欄２０に設けている。
２１は紹介欄２２を表面に設けた紹介用台紙であって、地方での各種行事や企業の内容などの紹介を紹介欄２２に印刷などにて設けている。
２３は名刺欄２４を表面に設けた名刺用台紙であって、個人或は企業の住所・氏名・電話など必要事項を名刺欄２４に印刷し、表面を見えるようにして該名刺用台紙２３の左側に作品用台紙１９を右側に紹介用台紙２１を、それぞれ折曲線２５・２６にて接続して一枚のＰＲ紙１８としている。
２７は油取紙からなる日用品であって、名刺用台紙２３より巾・長さ共に小さくしてＰＲ紙１８にての包装を可能としている。
２８は透明な長方形で袋状とした包装紙であって、前記日用品用包紙１７とＰＲ紙１８の包装を可能としている。【００１７】  使用に当たっては、複数枚を一組として重ね合わせている油取紙の日用品２７を実施例１と同じ要領で日用品用包紙１７にて包んで名刺用台紙２３の裏面に設け、折曲線２６にて紹介用台紙２１を日用品用包紙１７側に外折りして日用品用包紙１７に重ね、その後折曲線２５にて作品用台紙１９を外折りして紹介用台紙２１上に重ね合わせ、包装紙２８内に入れて包装紙２８の挿入口側を折り曲げセロテープにて挿入口を止めてＰＲ用紙製品とし、配布に或は手渡しなどに使用する。
【実施例３】
【００１８】  本実施例は日用品が細長い場合を示す。
図中２９は長方形のメモ紙からなる日用品であって、数枚を重ねて一組としている。
３０はＰＲ紙全体を示し、実施例２のＰＲ紙１８と全く同一である。
３１は透明で長方形で袋状の包装紙であって、前記日用品２９・ＰＲ紙３０の挿入を可能としている。【００１９】  使用に当たっては、折曲線２６にて紹介用台紙２１を裏面側に外折りし、紹介用台紙２１と作品用台紙１９・名刺用台紙２３の間に長方形とした日用品２９を入れて重ね合わせて包装紙３１に挿入し、包装紙３１の挿入口側を折り曲げセロテープにて挿入口を止めてＰＲ用紙製品とし、配布或は手渡しなどに使用する。
【実施例４】
【００２０】  本実施例は日用品を直接包むＰＲ紙表面の印刷を容易にするためＰＲ紙を組込んだ台紙を用いた場合を示す。
３２は台紙全体を示し、３３は実施例１のＰＲ紙１と全く同じＰＲ紙であって、名刺用台紙６側面にＬ字状のＬ字切取紙３４をミシン目３５にて接続すると共に、紹介用台紙１１の三方の外周にＵ字状のＵ字切取紙３６をミシン目３７にて接続して長方形の台紙３２としてＰＲ紙３３の切取りを可能としている。
尚、日用品及び包装紙は実施例１と同じのため説明は省略する。【００２１】  使用に当たっては、まずミシン目３５・３７にてＬ字切取紙３４とＵ字切取紙３６を切り離してＰＲ紙３３とする。
その後の要領は実施例１と同じのため説明は省略する。
尚、実施例１・実施例２・実施例３・実施例４に於いて再生紙の利用が可能なものは総て再生紙を利用する。
【産業上の利用可能性】
【００２２】  名刺として或は地方の行事や名産物・企業の業務内容等の紹介、更に写真や絵画などの作品の紹介等幅広い範囲の紹介に用いることが出来る。
【図面の簡単な説明】
【００２３】
【図１】実施例１の一部を破断した正面図
【図２】実施例１のＰＲ紙で日用品を包んだ背面図
【図３】実施例１のＰＲ紙の展開図
【図４】実施例２の一部を破断した正面図
【図５】実施例２のＰＲ紙で日用品を包んだ正面図
【図６】実施例２のＰＲ紙の展開図
【図７】実施例３の一部を破断した正面図
【図８】実施例３の日用品の正面図
【図９】実施例４のＰＲ紙を設けた台紙の展開図
【符号の説明】
【００２４】  １    ＰＲ紙
２    作品用台紙
３    作品欄
４    側紙
４ａ  取出補助口
５    折曲線
６    名刺用台紙
７    抑部
７ａ  係止穴
８    掛止部
８ａ  取出口
８ｂ  切込
８ｃ  掛止片
９    折曲線
１０    名刺欄
１１    紹介用台紙
１２    紹介欄
１３    係止片
１４    折曲線
１５    日用品
１６    包紙
１７    日用品用包紙
１８    ＰＲ紙
１９    作品用台紙
２０    作品欄
２１    紹介用台紙
２２    紹介欄
２３    名刺用台紙
２４    名刺欄
２５    折曲線
２６    折曲線
２７    日用品
２８    包紙
２９    日用品
３０    ＰＲ紙
３１    包紙
３２    台紙
３３    ＰＲ紙
３４    Ｌ字切取紙
３５    ミシン目
３６    Ｕ字切取紙
３７    ミシン目
【図１】
0003112439.tif 000003
【図２】
0003112439.tif 000004
【図３】
0003112439.tif 000005
【図４】
0003112439.tif 000006
【図５】
0003112439.tif 000007
【図６】
0003112439.tif 000008
【図７】
0003112439.tif 000009
【図８】
0003112439.tif 000010
【図９】
0003112439.tif 000011
【手続補正書】
【提出日】平成17年4月27日(2005.4.27)
【手続補正１】
【補正対象書類名】明細書
【補正対象項目名】全文
【補正方法】変更
【補正の内容】
【考案の詳細な説明】
〔書類名〕  実用新案登録請求の範囲
【請求項１】
表面に設けた作品欄に絵画・写真などの芸術的作品を印刷等にて設けた作品用台紙と、表面に設けた紹介欄に地方での各種行事や企業の内容などの紹介を印刷等にて設けた紹介用台紙と、表面に設けた名刺欄に個人或は企業の住所・氏名・電話など必要事項を印刷等にて設けた名刺用台紙とを二枚以上の枚数となるよう組合せ、折曲線にて接続して一枚のＰＲ紙とし、折曲線にて折り曲げて重ね合わせたＰＲ紙にて日用に使用する日用品を包み、透明な長方形の袋状とした包紙内に挿入し包紙を折り曲げ挿入口をセロハン粘着テープにて止めたことを特徴とするＰＲ用紙製品。
【請求項２】
ＰＲ紙と同じ形状の包紙にて日用品を覆いＰＲ紙にて包むようにした請求項１記載のＰＲ用紙製品。
【請求項３】
ＰＲ紙としては、芸術的作品を印刷等にて設けた作品欄を表面に設けてなる長方形の作品用台紙の長手方向の両側に、長方形で一方を切り落とし斜状とした取出補助口を設けた側紙を折曲線にて取出補助口が対称となるよう接続し、作品用台紙の巾と同巾で作品用台紙の長さの略半分より僅か短くした長さの長方形からなる名刺用台紙の略中央に、係止と確認を兼ねた長方形の係止穴を穿設した抑部と、作品用台紙の巾より小さくした巾と抑部の長さと同寸とした長さの長方形からなり、長さ方向の一端に湾曲による凹状の取出口を設け、更に長さ方向の他端両側を切込ににて切り込み巾の両側を掛止片とした掛止部を前記抑部に取出口が先端となるよう設け、作品用台紙の一端に折曲線にて名刺用台紙を接続し、係止穴と折曲線間の表面に設けた名刺欄に個人或は企業などの必要事項を印刷等にて設け、巾を作品用台紙と同寸とし長さは作品用台紙より短く名刺用台紙を折り曲げた時係止穴を覆う長さの長方形からなり、地方での各種行事や企業の内容などの紹介を表面に設けた紹介欄に印刷等にて設けてなる紹介用台紙の一端に係止片を突設し作品用台紙に折曲線にて係止片が突き出るよう接続し一枚とした請求項１・請求項２記載のＰＲ用紙製品。
【請求項４】
ＰＲ紙としては、ＰＲ紙の名刺用台紙側面にＬ字状のＬ字切取紙をミシン目にて接続すると共に、紹介用台紙の三方の外周にＵ字状のＵ字切取紙をミシン目にて接続して長方形の台紙として切取りを可能とした請求項１・請求項２・請求項３記載のＰＲ用紙製品。
【技術分野】
【０００１】  本考案は、再生紙を利用して紹介する内容を印刷したＰＲ紙を折り畳んで油取り紙を直接或は間接に包み、透明紙袋内に設けて配布や手渡しするようにしたＰＲ用紙製品に関するものである。
【背景技術】
【０００２】  紹介内容としては、住所・氏名・電話等の必要内容を一枚の紙の表裏に印刷したり或は写真を添付した名刺、或は一枚のチラシやパンフレット、更にインターネットなどがある。【０００３】
【考案の開示】
【考案が解決しようとする課題】
【０００４】  このような方法で紹介内容が提供されるが、紹介を受ける側で、例えば名刺を貰っても特に必要なもの以外は余り記憶に残らずその処理もいい加減になってしまう。
又、一枚のチラシやパンフレットも受取った時は一度は見るが、必要がなくなると名刺と同じくその処理がいい加減になると共に、普及しているインターネットも便利であるがパソコンが使えない人にとっては全く見ることが出来ない。
特に名刺やその地方のチラシやパンフレットによる紹介など余り費用をかけることが出来ない場合にはより効率が悪く使用上非常に不都合を感じていた。
【課題を解決するための手段】
【０００５】  本考案はこのような不都合を解消し、製作費用削減と資源の再利用として再生紙を利用すると共に、手渡しや配布時に強烈な印象を与えて、その場限りだけでなく一定期間見たり或は用いたりして記憶に残ることが出来るようにし、紹介内容の伝達の効果をより高めるようにしたＰＲ用紙製品を提供せんとするものである。【０００６】  表面に設けた作品欄に絵画・写真などの芸術的作品を印刷等にて設けた作品用台紙と、表面に設けた紹介欄に地方での各種行事や企業の内容などの紹介を印刷等にて設けた紹介用台紙と、表面に設けた名刺欄に個人或は企業の住所・氏名・電話など必要事項を印刷等にて設けた名刺用台紙とを二枚以上の枚数となるよう組合せ、折曲線にて接続して一枚のＰＲ紙とし、折曲線にて折り曲げて重ね合わせたＰＲ紙にて日用に使用する日用品を包み、透明な長方形の袋状とした包紙内に挿入し包紙を折り曲げ挿入口をセロハン粘着テープにて止めたものである。【０００７】  そしてＰＲ紙としては、芸術的作品を印刷等にて設けた作品欄を表面に設けてなる長方形の作品用台紙の長手方向の両側に、長方形で一方を切り落とし斜状とした取出補助口を設けた側紙を折曲線にて取出補助口が対称となるよう接続し、作品用台紙の巾と同巾で作品用台紙の長さの略半分より僅か短くした長さの長方形からなる名刺用台紙の略中央に、係止と確認を兼ねた長方形の係止穴を穿設した抑部と、作品用台紙の巾より小さくした巾と抑部の長さと同寸とした長さの長方形からなり、長さ方向の一端に湾曲による凹状の取出口を設け、更に長さ方向の他端両側を切込ににて切り込み巾の両側を掛止片とした掛止部を前記抑部に取出口が先端となるよう設け、作品用台紙の一端に折曲線にて名刺用台紙を接続し、係止穴と折曲線間の表面に設けた名刺欄に個人或は企業などの必要事項を印刷等にて設け、巾を作品用台紙と同寸とし長さは作品用台紙より短く名刺用台紙を折り曲げた時係止穴を覆う長さの長方形からなり、地方での各種行事や企業の内容などの紹介を表面に設けた紹介欄に印刷等にて設けてなる紹介用台紙の一端に係止片を突設し作品用台紙に折曲線にて係止片が突き出るよう接続し一枚としたものである。【０００８】  又、ＰＲ紙としては、ＰＲ紙の名刺用台紙側面にＬ字状のＬ字切取紙をミシン目にて接続すると共に、紹介用台紙の三方の外周にＵ字状のＵ字切取紙をミシン目にて接続して長方形の台紙として切取りを可能としたものである。
更にＰＲ紙と同じ形状の包紙にて日用品を覆いＰＲ紙にて包むようにしたものである。
尚、日用品としては使用回数の多いもの例えば油取紙やメモ用紙などの紙製品が好ましい、又再生紙の利用が可能な場合は総て再生紙を利用する。【０００９】  使用に当たっては、このようにシンプルに纏められるため配布或は手渡しが手軽に行なえ、且つ受取った側は中の日用品が使用してなくなるまで作品用台紙・紹介用台紙・名刺用台紙の表面に記載してある内容を使用の度に見るため自然に記憶されてＰＲを十分に果しその効果を持続させることが出来る。
而も、その時に必要な作品用台紙・紹介用台紙・名刺用台紙を任意に選択して組合わせることが可能となると共に、再生紙を使用するため資源の節約にも貢献し、手作りのため小量で多種類のＰＲ用紙製品にすることが容易であり、更にＰＲ紙をミシン目を設けた台紙とすることによって各種の印刷が容易に行えることが出来る。
【考案の効果】
【００１０】  本考案の請求項１・請求項２・請求項３に於いては、上述の如くその時々に必要な内容を印刷などにて表面に設けることが可能な作品用台紙・紹介用台紙・名刺用台紙を任意に選択して組合わせることが出来ると共に、再生紙を使用するため資源の節約にも貢献し、手作りのため小量で多種類のＰＲ用紙製品にすることが容易であり、且つシンプルに纏められるため配布或は手渡しが手軽に行なえ、且つ受取った側は中の日用品が使用してなくなるまで作品用台紙・紹介用台紙・名刺用台紙の表面に記載してある内容を使用の度に見るため自然に記憶されてＰＲを十分に果しその効果を持続させることが出来る。
請求項４に於いては、ＰＲ紙をミシン目を設けた台紙とすることによって各種の印刷が容易に行えることが出来ると共に、ミシン目によってＰＲ紙の切取りも簡単に行えるためその使用範囲が拡大される。
このように多くの効果があり実用上非常に優れた考案である。
【考案を実施するための最良の形態】
【００１１】  表面に設けた作品欄に絵画・写真などの芸術的作品を印刷等にて設けた作品用台紙と、表面に設けた紹介欄に地方での各種行事や企業の内容などの紹介を印刷等にて設けた紹介用台紙と、表面に設けた名刺欄に個人或は企業の住所・氏名・電話など必要事項を印刷等にて設けた名刺用台紙とを二枚以上の枚数となるよう組合せ、折曲線にて接続して一枚のＰＲ紙とし、折曲線にて折り曲げて重ね合わせたＰＲ紙にて日用に使用する日用品を包み、透明な長方形の袋状とした包紙内に挿入し包紙を折り曲げ挿入口をセロハン粘着テープにて止めたものである。
【実施例１】
【００１２】  以下本考案の一実施例を図面について説明する。
本実施例は日用品をＰＲ紙で直接包んだ場合を示す。
図中１は日用品用包紙を兼ねたＰＲ紙全体を示し、２は表面に作品欄３を設けて絵画・写真などの芸術的作品を印刷等にて作品欄３に設けた長方形の作品用台紙であって、長方形で一方を切り落とし斜状とした取出補助口４ａを設けた側紙４を、折曲線５にて該作品用台紙２の長手方向巾の両側に取出補助口４ａが対称となるよう接続している。【００１３】  ６は名刺用台紙であって、作品用台紙２の巾と同寸の巾で、作品用台紙２の長さの略半分より僅か短くした長さの長方形からなり、略中央に係止と確認を兼ねた長方形の係止穴７ａを穿設した抑部７と、作品用台紙２の巾より小さくした巾と抑部７の長さと同寸とした長さの長方形からなり、長さ方向の一端に湾曲による凹状の取出口８ａを設け、更に長さ方向の他端両側を切込８ｂににて切り込み巾の両側を掛止片８ｃとした掛止部８を前記抑部７に取出口８ａが先端となるよう設け、作品用台紙２の一端に折曲線９にて接続し、係止穴７ａと折曲線８間の表面に名刺欄１０を設け個人或は企業の住所・氏名・電話など必要事項を名刺欄１０に印刷している。【００１４】  １１は巾を作品用台紙２と同寸とし長さは作品用台紙２より短く名刺用台紙６を折り曲げた時係止穴７ａを覆う長さの長方形からなり、表面に紹介欄１２を設け地方での各種行事や企業の内容などの紹介を紹介欄１２に印刷した紹介用台紙であって、一端に係止片１３を突設し作品用台紙２に折曲線１４にて係止片１３が突き出るよう接続し一枚としている。
１５は油取紙からなる日用品であって、作品用台紙２より巾・長さ共に小さくして作品用台紙２にて包装を可能としている。
１６は透明な長方形で袋状とした包装紙であって、ＰＲ紙１の包装を可能としている。【００１５】  使用に当たっては、複数枚を一組として重ね合わせている油取紙の日用品１５をＰＲ紙１の作品用台紙２裏面上に設け、折曲線５にて側紙４裏面側に外折りして日用品１５の両側を抑え、その次に折曲線９にて名刺用台紙６を裏面側に外折りし、側紙４及び日用品１５上に重ねて掛止片８ｃを側紙４の下に差し込んで名刺用台紙６を掛止し、更に折曲線１４にて紹介用台紙１１を裏面側に外折りして名刺用台紙６上に重ねると共に、係止片１３を係止穴７ａに差し込み日用品１５をＰＲ紙１にて包み、包装紙１６内に入れて包装紙１６の挿入口側を折り曲げセロハン粘着テープにて挿入口を止めてＰＲ用紙製品とし、配布に或は手渡しなどに使用する。
【実施例２】
【００１６】  本実施例は日用品を包紙で包みその上にＰＲ紙を設けた場合を示す。
１７は日用品用包紙であって、形状・大きさは前記ＰＲ紙１と全く同じで、作品欄３・名刺欄１０・紹介欄１２を不要としている。
１８はＰＲ紙全体を示し、１９は作品欄２０を表面に設けた作品用台紙であって、絵画・写真などの芸術的作品を印刷等にて作品欄２０に設けている。
２１は紹介欄２２を表面に設けた紹介用台紙であって、地方での各種行事や企業の内容などの紹介を紹介欄２２に印刷などにて設けている。
２３は名刺欄２４を表面に設けた名刺用台紙であって、個人或は企業の住所・氏名・電話など必要事項を名刺欄２４に印刷し、表面を見えるようにして該名刺用台紙２３の左側に作品用台紙１９を右側に紹介用台紙２１を、それぞれ折曲線２５・２６にて接続して一枚のＰＲ紙１８としている。
２７は油取紙からなる日用品であって、名刺用台紙２３より巾・長さ共に小さくしてＰＲ紙１８にての包装を可能としている。
２８は透明な長方形で袋状とした包装紙であって、前記日用品用包紙１７とＰＲ紙１８の包装を可能としている。【００１７】  使用に当たっては、複数枚を一組として重ね合わせている油取紙の日用品２７を実施例１と同じ要領で日用品用包紙１７にて包んで名刺用台紙２３の裏面に設け、折曲線２６にて紹介用台紙２１を日用品用包紙１７側に外折りして日用品用包紙１７に重ね、その後折曲線２５にて作品用台紙１９を外折りして紹介用台紙２１上に重ね合わせ、包装紙２８内に入れて包装紙２８の挿入口側を折り曲げセロハン粘着テープにて挿入口を止めてＰＲ用紙製品とし、配布に或は手渡しなどに使用する。
【実施例３】
【００１８】  本実施例は日用品が細長い場合を示す。
図中２９は長方形のメモ紙からなる日用品であって、数枚を重ねて一組としている。
３０はＰＲ紙全体を示し、実施例２のＰＲ紙１８と全く同一である。
３１は透明で長方形で袋状の包装紙であって、前記日用品２９・ＰＲ紙３０の挿入を可能としている。【００１９】  使用に当たっては、折曲線２６にて紹介用台紙２１を裏面側に外折りし、紹介用台紙２１と作品用台紙１９・名刺用台紙２３の間に長方形とした日用品２９を入れて重ね合わせて包装紙３１に挿入し、包装紙３１の挿入口側を折り曲げセロハン粘着テープにて挿入口を止めてＰＲ用紙製品とし、配布或は手渡しなどに使用する。
【実施例４】
【００２０】  本実施例は日用品を直接包むＰＲ紙表面の印刷を容易にするためＰＲ紙を組込んだ台紙を用いた場合を示す。
３２は台紙全体を示し、３３は実施例１のＰＲ紙１と全く同じＰＲ紙であって、名刺用台紙６側面にＬ字状のＬ字切取紙３４をミシン目３５にて接続すると共に、紹介用台紙１１の三方の外周にＵ字状のＵ字切取紙３６をミシン目３７にて接続して長方形の台紙３２としてＰＲ紙３３の切取りを可能としている。
尚、日用品及び包装紙は実施例１と同じのため説明は省略する。【００２１】  使用に当たっては、まずミシン目３５・３７にてＬ字切取紙３４とＵ字切取紙３６を切り離してＰＲ紙３３とする。
その後の要領は実施例１と同じのため説明は省略する。
尚、実施例１・実施例２・実施例３・実施例４に於いて再生紙の利用が可能なものは総て再生紙を利用する。
【産業上の利用可能性】
【００２２】  名刺として或は地方の行事や名産物・企業の業務内容等の紹介、更に写真や絵画などの作品の紹介等幅広い範囲の紹介に用いることが出来る。
【図面の簡単な説明】
【００２３】
【図１】実施例１の一部を破断した正面図
【図２】実施例１のＰＲ紙で日用品を包んだ背面図
【図３】実施例１のＰＲ紙の展開図
【図４】実施例２の一部を破断した正面図
【図５】実施例２のＰＲ紙で日用品を包んだ正面図
【図６】実施例２のＰＲ紙の展開図
【図７】実施例３の一部を破断した正面図
【図８】実施例３の日用品の正面図
【図９】実施例４のＰＲ紙を設けた台紙の展開図
【符号の説明】
【００２４】  １    ＰＲ紙
２    作品用台紙
３    作品欄
４    側紙
４ａ  取出補助口
５    折曲線
６    名刺用台紙
７    抑部
７ａ  係止穴
８    掛止部
８ａ  取出口
８ｂ  切込
８ｃ  掛止片
９    折曲線
１０    名刺欄
１１    紹介用台紙
１２    紹介欄
１３    係止片
１４    折曲線
１５    日用品
１６    包紙
１７    日用品用包紙
１８    ＰＲ紙
１９    作品用台紙
２０    作品欄
２１    紹介用台紙
２２    紹介欄
２３    名刺用台紙
２４    名刺欄
２５    折曲線
２６    折曲線
２７    日用品
２８    包紙
２９    日用品
３０    ＰＲ紙
３１    包紙
３２    台紙
３３    ＰＲ紙
３４    Ｌ字切取紙
３５    ミシン目
３６    Ｕ字切取紙
３７    ミシン目